(57)【要約】      （修正有）【課題】低位置に栽培されている作物を収穫するときの作業者の腰やひざへの負担を軽減して、作業者が身体的な障害を受けるのを防止するとともに、収穫の能率を向上させる農作物収穫用台車を提供する。【解決手段】畝８を跨いで配置し、車幅方向の車輪間隔を畝８の幅に合わせるよう調節バー９に沿って調節し、作業者７が台車上部に腹臥位で乗車して作物６を収穫し、両足で操作ペダル４を操作して前進、後退、停止および速度制御を行いながら収穫作業を遂行できる農作物収穫用台車とする。【選択図】図１
0003181710.tif 000002
【実用新案登録請求の範囲】
【請求項１】
車幅方向の片側に２個、両側で４個の車輪を持ち、作物が栽培されている畝を跨いで走行し、低位置に栽培された作物を収穫可能な台車であって、各車輪はインホィール油圧モータで駆動され、車幅方向両側の車輪間の間隔を調節バーに沿って調節でき、作業者が台車上部に腹臥位で乗車して収穫作業を行うとともに足で操作して台車の進行方向および速度を制御可能であることを特徴とする農作物収穫用台車。
【考案の詳細な説明】
【技術分野】
【０００１】
本考案は、露地栽培等で低位置に栽培されている作物を収穫するときの作業者の身体的負担を軽減するための農作物収穫用台車に関する。
【背景技術】
【０００２】
露地栽培等の例えば苺、ほうれん草、レタス、キャベツなどの低位置で育つ作物を収穫するとき、作業者はしゃがむ姿勢で作業しなければならないのが普通である。しかし、そのようにしゃがむ姿勢で作業するのでは、腰やひざへの負担が大きくて、収穫の能率も低下し、長時間作業を続けると身体的な障害を受ける恐れもある。
【０００３】
そこで、そのような作物収穫時の身体的負担を軽減するために、畝を跨いで移動させる収穫用台車を使用し、その際、作業者が収穫した作物を容器に入れ易いよう、収穫用容器を傾斜させて台車上に保持するようにするなど、様々な工夫もなされている（例えば、特許文献１参照。）。
【先行技術文献】
【特許文献】
【０００４】
【特許文献１】特開平１１−１２３０２２号公報
【考案の概要】
【考案が解決しようとする課題】
【０００５】
低位置で育つ、苺、ほうれん草、レタス、キャベツなどの作物を収穫するとき、作業者はしゃがむ姿勢で作業しなければならず、腰やひざへの負担が大きくて、収穫の能率も低下し、長時間作業を続けると身体的な障害を受ける恐れもある。
【０００６】
上述のように、収穫用容器を台車上に傾斜姿勢で保持するなど様々に工夫もなされているが、作業者はしゃがむ姿勢で作業することには変わりがなく、身体的負担は解消されていない。
【０００７】
本考案は、低位置に栽培されている作物を収穫するときの作業者の腰やひざへの負担を軽減して、作業者が身体的な障害を受けるのを防止するとともに、収穫の能率を向上させることを課題とし、この課題の解決を目的とする。
【課題を解決するための手段】
【０００８】
本考案は、上記課題を解決するための手段として、車幅方向の片側に２個、両側で４個の車輪を持ち、作物が栽培されている畝を跨いで走行し、低位置に栽培された作物を収穫可能な台車であって、各車輪はインホィール油圧モータで駆動され、車幅方向両側の車輪間の間隔を調節バーに沿って調節でき、作業者が台車上部に腹臥位で乗車して収穫作業を行うと同時に足で操作して台車の進行方向および速度を制御可能であることを特徴とする農作物収穫用台車を提供するものである。
【０００９】
車輪はタイヤをはめた車輪であるのがよい。また、車輪は４個全てが駆動輪であるのがよい（但し、後輪のみ駆動輪とすることもでき、前輪のみ駆動輪とすることもできる。）。そして、駆動輪の駆動に使用する油圧モータは、低速度かつ高トルクを得ることができるもので、油圧源として油圧ポンプを使用し、動力源として小型の発動機を使用するのがよい。また、油圧モータによる車輪の駆動は、装置の安全と簡略化のために、ギアーやチェインなどを使用せず、駆動輪毎にインホィールモータ（インホィール油圧モータ）による駆動とするのがよい。
【００１０】
この農作物収穫用台車は、収穫しようとする作物の栽培されている畝を跨いで走行するよう配置する。その際、車幅方向両側の車輪間の間隔を畝の幅に合わせるよう調節バーに沿って調節することができる。そして、台車前部に収穫した作物を取り入れる容器を取り付け、作業者が台車上部に腹臥位で乗車して、収穫作業を行うとともに足で運転する。運転は腹臥位に乗車した作業者が両足でペダルを押すことによって行うようにすることができ、作業者単独での収穫作業が可能である。
【考案の効果】
【００１１】
この農作物収穫用台車を使用することにより、低位置に栽培されている作物を収穫するときの作業者の腰やひざへの負担を軽減することができ、作業者が身体的な障害を受けるのを防止することができるともに、収穫の能率を向上させることができる。そして、従来に比較して３〜５倍の時間当たりの収穫量を上げることが可能となり、収穫の作業が原因で腰やひざの痛み等を訴える作業者を皆無にすることが可能になる。
【図面の簡単な説明】
【００１２】
【図１】本考案の実施の形態の農作物収穫用台車を横から見た概念図である。
【図２】本考案の実施の形態の農作物収穫用台車を上から見た概念図である。
【考案を実施するための形態】
【００１３】
図１および図２は本考案の実施形態の一例を示している。図において１は本実施形態の農作物収穫用台車（以下、「台車」と略称する。）の平面視にて矩形の基本形態の主要部となる台車本体である。
【００１４】
台車本体１には、互いに平行に車幅方向（台車本体１の幅方向）に延びる前後一対の調節バー９（車輪間隔調節バー）が組み込まれ、これら前後の調節バー９に沿って車幅方向へ移動自在に支持アーム１３を介して車幅方向の片側に２個、両側で４個の車輪２が支持されている。
【００１５】
この実施形態では車輪２は全てタイヤをはめた車輪とし、４個全てを駆動輪としている。但し、必要２応じて後輪のみ或いは前輪のみ駆動輪とすることもできる。
【００１６】
駆動輪である４個の車輪２は各々がインホィール油圧モータ３で駆動される。
【００１７】
台車後部側方にはインホィール油圧モータ３に油圧を供給する油圧源としての油圧ポンプ１１と、油圧ポンプ１１を駆動する動力源としての小型の発動機１０が取り付けられている。そして、台車上部の後方中央には、台車上部に腹臥位で乗車した作業者７が両足で操作する左右一対の操作ペダル４が設置されている。これらの操作ペダル４の操作で左右の車輪２を駆動するインホィール油圧モータ３への油圧の供給が制御される。各操作ペダル４は油圧ホース１２を介して油圧ポンプ１１と接続されている。また、油圧ポンプ１１は各車輪２のインホィール油圧モータ３と油圧ホース（図示省略）で接続されている。
【００１８】
この台車は、収穫しようとする作物６が栽培されている畝８を跨いで配置する。その際、車幅方向両側の車輪２間の間隔を畝８の幅に合わせるよう調節バー９に沿って調節する。
【００１９】
そして、台車前部に取り入れかご５（収穫した作物を取り入れる容器）を取り付け、作業者７は台車上部に腹臥位で乗車して、作物６を収穫して取り込みかご５に入れてゆく。
【００２０】
そして、作業者７は両足で後方に設置された操作ペダル４を操作し、前進、後退、停止および速度制御を行いながら収穫作業を遂行する。
【００２１】
そして、その畝の収穫が終了すると、次に収穫する畝に台車を移動させ、前述の作業を繰り返す。
【００２２】
台車前部には、腹臥位で作業する作業者７の顎を置く台や額を置く台を設置するとよい。
【００２３】
また、取入れかかご５は、作業者７が収穫した作物６を入れやすいよう台車前部の左右両側に内向きに傾けて取り付けるようにするのがよい。
【００２４】
本考案はその他様々な形態で実施することができる。
【符号の説明】
【００２５】
１  台車本体
２  車輪
３  インホィ―ル油圧モータ
４  操作ペダル
５  取り入れかご
６  作物
７  作業者
８  畝
９  調節バー
１０  発動機
１１  油圧ポンプ
１２  油圧ホース
１３  支持アーム
【図１】
0003181710.tif 000003
【図２】
0003181710.tif 000004
【手続補正書】
【提出日】平成24年12月10日(2012.12.10)
【手続補正１】
【補正対象書類名】実用新案登録請求の範囲
【補正対象項目名】全文
【補正方法】変更
【補正の内容】
【実用新案登録請求の範囲】
【請求項１】
台車本体に互いに平行に車幅方向に延びる前後一対の車輪間隔調節バーが組み込まれ、これら前後の車輪間隔調節バーに沿って車幅方向へ移動自在に車幅方向の片側に２個、両側で４個の車輪が支持され、駆動輪である各車輪はインホィール油圧モータで駆動され、台車上部後方に、台車上部に腹臥位で乗車して収穫作業を行う作業者が足で操作して台車の前進、後退、停止および速度制御の操作を行う操作ペダルが設置されたことを特徴とする農作物収穫用台車。
【手続補正２】
【補正対象書類名】明細書
【補正対象項目名】０００８
【補正方法】変更
【補正の内容】
【０００８】
本考案は、上記課題を解決するための手段として、台車本体に互いに平行に車幅方向に延びる前後一対の車輪間隔調節バーが組み込まれ、これら前後の車輪間隔調節バーに沿って車幅方向へ移動自在に車幅方向の片側に２個、両側で４個の車輪が支持され、駆動輪である各車輪はインホィール油圧モータで駆動され、台車上部後方に、台車上部に腹臥位で乗車して収穫作業を行う作業者が足で操作して台車の前進、後退、停止および速度制御の操作を行う操作ペダルが設置されたことを特徴とする農作物収穫用台車を提供するものである。